(57)【要約】      （修正有）【課題】デジタル放送受信装置における新規チャンネルの追加を容易にする。【解決手段】ＢＰＦ３で選局されたチャンネルのＲＦ信号は混合回路１７にてＩＦ信号Ａに変換され、第１の分配器２２にて２つの経路に分配される。一方は視聴用のＩＦ ＳＡＷ２３に、他方は隣接チャネル検出用のＩＦ  ＳＡＷ４１に入力される。ＩＦ  ＳＡＷ４１の出力は、ＩＦアンプ４３を介して減算器４５の一方の入力端子に入力される。ＩＦ  ＳＡＷ２３の出力は、ＩＦアンプ２５、補償アンプ３１及び第２の分配器３３を介して減算器４５の他方の入力端子に入力される。この減算器４５の出力レベルに基づいて隣接チャネルの有無が判別され、更にチャンネルリスト５３と照合することにより追加チャンネルの有無が検出される。追加チャンネルがあれば、告知を行い、チャンネルサーチを促す。【選択図】図１
2008182500.tif 000002
【特許請求の範囲】
【請求項１】
デジタル放送の追加チャンネル検出装置であって、
選局実行時に、視聴チャンネルの上下の隣接キャリアの有無を判定する隣接キャリア判定部と、
チャンネルリストを格納する記憶部と、を有し、
該隣接キャリア判定部の判定により前記隣接キャリアが存在すると判定された場合であって、且つ、前記チャンネルリストに存在しないチャンネルであれば、新規追加チャンネルとして、ユーザに告知することを特徴とする追加チャンネル検出装置。
【請求項２】
ＲＦ入力信号を復調する経路であって、隣接妨害除去フィルタを経由させる第１の経路に加えて、隣接妨害除去フィルタを経由しない第２の経路を設け、前記第１の経路と前記第２の経路との差信号に基づいて、前記隣接チャンネルの有無を判定することを特徴とする請求項１に記載の追加チャンネル検出装置。
【請求項３】
前記差信号が、あるしきい値を超えている場合に隣接チャンネルが存在すると判定することを特徴とする請求項２に記載の追加チャンネル検出装置。
【請求項４】
ＲＦ入力信号を復調する経路であって、隣接妨害除去フィルタを経由させる第１の経路に加えて、隣接妨害除去を経由しない第２の経路であって第２の復調部を有する第２の経路を設け、該第２の復調部から、信号品位を表す値を読み出し、前記隣接妨害除去を経由する第１の復調部から読み出した値との差異の有無により、隣接チャンネルの存在を判定する隣接キャリア判定部と、
現在のチャンネルリストを格納する記憶部と、を有し、
該隣接キャリア判定部の判定により、前記隣接キャリアが存在すると判定された場合であって、前記チャンネルリストに存在しないチャンネルであれば、新規追加チャンネルとして、ユーザに告知することを特徴とする追加チャンネル検出装置。
【請求項５】
前記復調部から読み出される信号品位は、Ｓ／Ｎ（信号対ノイズ比）あるいはＢＥＲ（ビットエラーレート）あるいはＭＥＲ（変調誤り率）であることを特徴とする請求項４記載の追加チャンネル検出装置。
【請求項６】
デジタル放送の追加チャンネル検出方法であって、
選局実行時に、視聴チャンネルの上下の隣接キャリアの有無を判定するステップと、
該隣接チャンネル判定ステップにより前記隣接キャリアが存在すると判定された場合に、その旨をユーザに告知するステップと
を有することを特徴とする追加チャンネル検出告知方法。
【請求項７】
請求項１から５までのいずれか１項に記載の追加チャンネル検出装置を備えたデジタルテレビジョン受信装置。
【請求項８】
コンピュータに請求項６に記載のステップを実行させるためのプログラム。
【発明の詳細な説明】
【技術分野】
【０００１】
本発明は、追加チャンネル検出装置及びそれを備えたデジタル放送受信装置に関し、特に新しい追加チャンネルの登録技術に関する。  
【背景技術】
【０００２】
従来の放送受信装置においては、１つのキャリアにチューナを同調させ、トランスポートストリームからチャンネル情報を取得し、遂次、この処理を全帯域に渡って実行していた。このチャンネルサーチ操作を行うことにより、ユーザが指定するチャンネル番号がどこの伝送キャリアにあるかをリスト化出来（以降、チャンネルリスト）、選局時に参照される。チャンネルリストは通常、受信機内の不揮発メモリに保持される。
【０００３】
すなわち、各種の通信装置や受信機などでは、たとえば周波数シンセサイザやチューナなどの同調装置（同調回路）が用いられる。また、チューナ内の復調部として、ＩＦ（Intermediate Frequency）変換方式を採用するものがある。ＩＦ変換方式としては、たとえば１段構成にて所望の中間周波数を得るシングルコンバーション（シングルヘテロダイン）方式のものと、複数段（たとえば２段）構成にて所望の中間周波数を得るマルチコンバーション方式のものとがある。２段構成の場合、ダブルコンバーション（ダブルヘテロダイン）方式という。
【０００４】
一方、今日では、従来からのアナログ方式（ＮＴＳＣ方式やＰＡＬ方式など）の放送システムに加え、デジタル方式の放送システムの確立が進められている。このデジタル方式の放送システムにおいて、受信装置は、これまでのアナログテレビジョン放送の受信装置と同様に、受信高周波信号をダウンコンバートして中間周波数信号を得るシングルコンバーション方式の受信装置や、入力高周波信号を、一旦、入力高周波信号の帯域よりも充分高域側にアップコンバートし、イメージ周波数を高周波信号帯域から追い出し、これをＳＡＷフィルタなどの中間周波フィルタで除去した後、ダウンコンバートするようにしたダブルコンバージョン方式の受信装置などがある。ＳＡＷフィルタは雑音（他の周波数）をカットして、必要な信号だけ取り出す機能を有する。
【０００５】
図６は、シングルコンバージョン方式を用いたデジタルテレビジョン放送の受信システムの従来例を示すブロック図であり、デジタルケーブルテレビ（以下、ＣＡＴＶ）を例に挙げている。図６に示すシステムにおいて、高周波信号受信回路のＲＦ入力端子に入力されたＲＦ入力信号（受信高周波信号）１０１は、まず、所定の帯域成分（この例の場合には、９０〜７７０ＭＨｚ）のみを通過させるＢＰＦ（帯域通過フィルタ）１０３により受信全周波数帯域成分が抽出された後、ＲＦアンプ（可変アンプ）１０５によって所定レベルに増幅され、周波数変換回路の一例である混合回路（ミキサー）１１７に入力される。
【０００６】
ＰＬＬ１１１は基準発振器１０７から、マイコン１１５の指示により、ユーザの所望帯域のみを選局するために第1の局部発振信号を生成する。混合回路１１７はこの局部発振信号とＲＦ信号とが入力され、これらをミキシングすることにより、ＩＦ信号を生成する。
【０００７】
この第１の局部発振信号の周波数としては、第１の中間周波数信号の中心周波数よりも高い周波数が使用され、ＲＦ信号の周波数ｆRF、受信すべき所定周波数帯域の第１の中間周波数（１st ＩＦ）信号の周波数ｆIF1 との間で、ｆLO1 ＝ｆRF＋ｆIF1 となるように、選局すべき放送周波数に対応して変化される。そして混合回路１１７では、ＲＦ信号が第１の局発信号と混合されることで、ダウンコンバートされた一定の周波数の中間周波数信号が出力される。
【０００８】
混合回路１１７によってダウンコンバートされた第１の中間周波数信号は、選局チャンネルの信号成分をフィルタリング処理するＩＦ ＳＡＷフィルタ１２３を通過する。このＩＦ ＳＡＷフィルタ１２３は、例えば国内では５８．７５ＭＨｚが北米では４４ＭＨｚがＩＦセンター周波数として一般的に使用され、通過帯域としては６ＭＨｚを使用することにより、選局キャリアのみが残る。
【０００９】
ＩＦ ＳＡＷフィルタ１２３を通過した中間周波数信号は、フィードバックループによって自動的に利得が制御される中間周波ゲイン制御回路（ＩＦ ＡＧＣ）１２５によって所定レベルに増幅された後に、デジタル信号復調部１２７に入力される。デジタル信号復調部１２７で復調された信号は、ＭＰＥＧ−ＴＳ（トランスポートストリーム）信号として出力される。マイコン１３３は復調部１２７からＳ／ＮやＢＥＲ（ビットエラーレート）等を読み出すことにより、信号の品位を観測することができる。
【００１０】
【特許文献１】特開２００３-３１８７６１号公報
【発明の開示】
【発明が解決しようとする課題】
【００１１】
通常、ユーザは受信機を購入時か、転居時のみしか、チャンネルサーチを実行しないので、新たなチャンネルが追加された時に、ユーザは広告等により、その変更を知り、マニュアルでチャンネルサーチを再度実行し、受信機のチャンネルリストを更新する必要があった（通常、空キャリアはスキップされる）。
【００１２】
従って、変更情報を得ていないユーザは追加チャンネルを視聴出来ないままになってしまう問題がある。
【００１３】
特に、伝送容量が大きいCATVでは、魅力あるコンテンツを入手次第、逐次、空きキャリアを利用して伝送する仕組みになっているため、このような問題が発生する可能性が大きくなる。
【００１４】
このような問題に鑑み、本発明は、新規チャンネルの追加を容易にすることを目的とする。
【課題を解決するための手段】
【００１５】
本発明は、デジタル放送受信機のチャンネル追加処理において、
・ユーザが選局実行時に視聴チャンネルの上下隣接キャリアの有無を検出する。
・隣接キャリアが存在し、且つ、チャンネルリストに存在しなければ、ユーザに告知してチャンネルサーチの再実施を促し、チャンネルサーチの再実施により、チャンネルリストの更新を行い、追加チャンネルの視聴を容易にする。
【発明の効果】
【００１６】
本発明によれば、ユーザに自動で追加チャンネルの存在を告知するため、新規チャンネルの視聴が容易になるという利点がある。
【発明を実施するための最良の形態】
【００１７】
以下、本発明の第１の実施の形態によるデジタル放送の新規チャンネル追加技術について図面を参照しながら説明を行う。本実施の形態では、IF SAWを経由したパス（A）と上下隣接を除去しないパス（Ｃ）の差分信号を生成（Ｄ）する。これをアナログ／デジタル変換し、マイコンに取り込む。差分信号を積分し、敷居値を越えると、隣接チャンネルが存在すると判定する。チャンネルリスト（不揮発メモリに保存、メインマイコンがサーチ後書き込む）からこの隣接チャンネルが既存か、新規かを判定する。
【００１８】
図１は、本実施の形態によるデジタルテレビジョン放送の受信システムの一構成例を示す機能ブロック図である。図１では日本国内のケーブルテレビを例に記載しているが、地上波や衛星を媒体としたデジタル放送でも、また米国でも、同様な構成となる。図１に示すシステムにおいて、高周波信号受信回路のＲＦ入力端子に入力されたＲＦ入力信号（受信高周波信号）１は、まず、所定の帯域成分のみを通過させるＢＰＦ（帯域通過フィルタ）３により受信全周波数帯域成分が抽出された後、ＲＦアンプ（可変アンプ）５によって所定レベルに増幅され、周波数変換回路の一例である混合回路（ミキサー）１７に入力される。ここで、ＢＰＦ３として、日本国内のケーブルテレビ帯域である90〜770MHzを通過させるフィルタを使用している例で示している。北米では54〜864MHzの通過帯域となる。
【００１９】
従来法と同様に、ＰＬＬ１１は、サブマイコン１５の指示により、基準発振器７からユーザの所望帯域のみを選局するために第１の局部発振信号を生成する。混合回路１７にはこの局部発振信号とＲＦ信号とが入力され、これらをミキシングすることにより、ＩＦ信号Ａを生成する。
【００２０】
ＩＦ信号は、第１の分配器２２に入力され、２つの経路に分配される。一方は、視聴用のＩＦ ＳＡＷフィルタ２３に至る。他方は、チャンネル検出用のＩＦ  ＳＡＷフィルタ４１に至る。
【００２１】
ＩＦ  ＳＡＷ２３の出力を受けるＩＦアンプ２５は、後続の復調部３５が安定して動作する様にＩＦ信号のゲイン調整を行う可変アンプである。ＩＦアンプ２５の次には、後続する分配器３３のゲイン損失を補償するために、補償アンプ３１が設けられており、その出力が分配器３３を介して、復調部３５に入力する。復調部３５は、デジタル変調信号を復調する復調回路であり、国内ケーブルテレビの場合は６４ＱＡＭの採用が規定され、また、北米のケーブルテレビでは６４ＱＡＭと２５６ＱＡＭの採用が規定されている。復調部３５で復調されたＩＦ信号はＭＰＥＧ２−ＴＳとなり、図示していないが後段のＭＰＥＧデコーダに入力されて、受信映像/音声を復号する。また、復調部３５はＩＦ信号の品位を表すＳ／ＮやＢＥＲを算出する機能を有し、図示しないマイコンを介して読み出すことが出来る。復調部３５からの信号は、ＩＦアンプ２５・４３にフィードバックされる。
【００２２】
分配器２２から第２の経路に入った信号は、ＩＦ  ＳＡＷ４１に入力され、ＩＦアンプ４１を経て出力された信号Ｃは、減算器４５に入力する。ここで、第２の分配器３３からの出力信号との減算が行われ、その出力信号ＤがＡ／Ｄコンバータ４７を経てデジタル信号に変換され、サブマイコン５１に入力される。一方、メインマイコン５５から取得したチャンネルリスト５３もサブマイコン５１に入力され、サブマイコンで、追加チャンネルの有無が検出される。追加チャンネルがあれば、後述するような告知を行い、チャンネルサーチを促す。
【００２３】
図２は、上記回路における信号波形例を示す図である、信号Ａ〜Ｄまでに関する波形が示されている。図２Ａは、視聴チャンネルの上隣接に追加チャンネルが新設された場合の信号波形例を示す図である。図２Ｂは、追加チャンネルが存在しない場合の信号波形例を示す図である。分配器２２の入力波形は、視聴チャンネルに上隣接チャンネルがない場合には、図２Ｂのように、視聴側の分配器３３からの出力信号Ｂが信号Ａと同じであり、検出側のＩＦアンプ４３からの出力Ｃも信号Ａと同じであるため、その差分はない（信号Ｄ）。
【００２４】
一方、図２Ａに示すように、上隣接チャンネルの信号が存在する場合には、上隣接チャンネルの電力は、視聴側の分配器３３からの出力信号Ｂが信号Ａよりも小さくなり、検出側のＩＦアンプ４３からの出力信号Ｂは信号Ａと同程度であるため、両者の差分は信号Ｄで示されるように上隣接チャンネル領域に信号が残り、Ａ／Ｄコンバータ４７からサブマイコン５１に出力される。サブマイコン５１において、隣接チャンネルの有無が最終的に判定される。
【００２５】
図３は、隣接チャンネルが検出された場合の表示部への表示例を示す図であり、チャンネルサーチ催促画面の一例を示す図である。図３に示すように、表示画面６１には、「新しいチャンネルが追加されました、チャンネルサーチを実行して下さい。」とのチャンネルサーチ催促画面表示６３がなされる。これにより、ユーザはチャンネルサーチを行うための契機を得ることができる。
【００２６】
次に、上記処理の流れについて説明する。図４は、チャンネルサーチ処理の流れを示すフローチャート図である。図４に示すように、まず、サーチを開始する（ステップＳ１）。次いで、キャリアインデックスをｉ＝０とする（ステップＳ２）。キャリアインデックスは配置可能なキャリアを低周波から順番にインデックス付けをした番号を示す。本例では国内のケーブルテレビを想定しているため、i＝０は中心周波数が９３ＭＨｚのキャリアを表していることになる。米国ケーブルテレビではi＝０は５７ＭＨｚを表す。
【００２７】
国内のケーブルテレビのキャリア1波の伝送帯域は６ＭＨｚと規定されているため、同様にi＝１は中心周波数が９９ＭＨｚのキャリアを示す。
【００２８】
次いで、ステップＳ３において、キャリアｉは同調するか否かを判定する。同調するのであれば（Ｙｅｓ）、ステップＳ４において、メインマイコンがチャンネルリストを更新し（不揮発メモリに記憶し）ステップＳ３においてｎｏの場合とともに、ステップＳ５に進む。
【００２９】
ステップＳ５においては、ｉがキャリアの最大値以上であるか否かを判定し、最大値以上であれば（ｙｅｓ）ステップＳ７に進みサーチを終了する。最大値未満であれば（ｎｏ）、ステップＳ６に進み、ｉに“１”をインクリメントし、スイッチングＳ３に戻る。
【００３０】
図５は、本発明の第２の実施の形態によるデジタル放送の追加チャンネル検出装置の一構成例を示す図である。
【００３１】
本実施の形態では、IF SAWを経由した信号から、復調部１でS/NまたはBER（ビットエラーレート）を算出する。次いで、上下隣接を除去しない信号から、同様に復調部２でS/NまたはBERを算出する。サブマイコン５１から復調部１および２のS/NまたはBERを読み出し、差異がなければ  隣接チャンネルなしと判定する。チャンネルリスト（実施例１と同じ）からこの隣接チャンネルが既存か、新規かを判定する。
【００３２】
図５と図１の構成との相違点は、隣接判定用にＩＦ ＳＡＷフィルタ２３を経由しないパスに復調部３５と同等な機能を有する復調部７１を追加し、復調部７１から、信号の品位を表すS/N（信号対ノイズ比）、BER（ビットエラーレート）またはＭＥＲ（変調誤り率）を読み出す点を特徴とする。復調部３５（IF  SAWを経由）から読み出した値と復調部７１から読み出した値とに差異があるか否かをサブマイコン５１により判定し、差異がなければ隣接チャンネル無しと判定することができる。このようにすることにより、復調部７１から、S/NまたはBER（ビットエラーレート）を読み出し、復調部３５から読み出した値との差異を調べ、差異があれば隣接チャンネル有りと判定し、図３に示すようなチャンネルサーチを促す告知を行い、差異がなければ隣接チャンネル無し、と判定する。
【００３３】
以上に説明したように、本実施の形態によれば、デジタル放送受信装置において、上下隣接キャリアの有無を検出することで追加チャンネルがある場合には、その旨をユーザに告知することで、チャンネルサーチを促すことができる。
【産業上の利用可能性】
【００３４】
本発明は、デジタル放送受信装置に利用可能である。
【図面の簡単な説明】
【００３５】
【図１】本発明の第１の実施の形態によるデジタルテレビジョン放送の受信システムの一構成例を示す機能ブロック図である。
【図２Ａ】図１のＡ、Ｂ、Ｃ、Ｄにおけるスペクトラムを示す図であり、図２Ａは、視聴チャンネルの上隣接に追加チャンネルが新設された場合の信号波形例を示す図である。
【図２Ｂ】図１のＡ、Ｂ、Ｃ、Ｄにおけるスペクトラムを示す図であり、図２Ｂは、追加チャンネルが存在しない場合の信号波形例を示す図である。
【図３】本実施の形態による、チャンネルサーチ催促画面の一例を示す図である。
【図４】一般的なチャンネルサーチの動作の流れを示すフローチャート図である。
【図５】本発明の第２の実施の形態によるデジタルテレビジョン放送の受信システムの一構成例を示す図である。
【図６】シングルコンバージョン方式を用いたデジタルテレビジョン放送の受信システムの従来例を示すブロック図である。
【符号の説明】
【００３６】
１…ＲＦ信号（受信高周波信号）、３…ＢＰＦ（帯域通過フィルタ）、５…ＲＦアンプ、７…基準発振器、１１…ＰＬＬ、１５…サブマイコン、１７…混合回路（ミキサー）、２２…分配器（１）、２３…ＩＦ ＳＡＷフィルタ、２５…IFアンプ、３１…補償アンプ、３３…分配器（２）、３５…復調部、４１…ＩＦ  ＳＡＷ、４３…アンプ（２）、４５…減算器、４７…Ａ／Ｄコンバータ、５１…サブマイコン、５３…チャンネルリスト、５５…メインマイコン、７１…復調部（２）、１０１…ＲＦ信号（受信高周波信号）、１０３…ＢＰＦ（帯域通過フィルタ）、１０５…ＲＦアンプ、１０７…基準発振器、１１１…ＰＬＬ、１１５…マイコン、１１７…混合回路（ミキサー）、１２３…ＩＦ ＳＡＷフィルタ、１２５…IFアンプ、１２７…復調部、１３３…マイコン。
【図１】
2008182500.tif 000003
【図２Ａ】
2008182500.tif 000004
【図２Ｂ】
2008182500.tif 000005
【図３】
2008182500.tif 000006
【図４】
2008182500.tif 000007
【図５】
2008182500.tif 000008
【図６】
2008182500.tif 000009